Podtech/llm-jp-corpus-v4-ja_patent huggingface dataset:
【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
可撓性を有する管体の内周面に沿って挿入するように設けられるニップルと、
前記ニップルの外側に前記管体を挟んで覆うように設けられて該管体を縮径方向へ加圧するスリーブと、
前記ニップル及び前記スリーブの間に前記管体の先端面と軸方向へ隣り合うように設けられる弾性変形可能なシール材と、
前記ニップル及び前記スリーブの間に前記シール材と軸方向へ隣り合うように形成される環状空間部と、を備え、
前記シール材は、前記管体の先端面と軸方向へ対向する第一シール面と、前記環状空間部と軸方向へ対向する第二シール部を有し、前記スリーブの縮径に伴い軸方向へ膨張変形して、前記第一シール面を前記管体の前記先端面と密接させるとともに、前記第二シール部を前記環状空間部内に嵌入して、前記ニップルと前記スリーブにそれぞれ密接させ、
前記スリーブの前記内周面には、前記スリーブの縮径に伴い前記シール材を軸方向へ移動不能に係止するための位置決め手段が設けられることを特徴とする管継手。
【請求項２】
前記環状空間部は、前記ニップル又は前記スリーブの露出面に向けて軸方向へ連続する貫通孔を有し、
前記シール材の前記第二シール部は、前記貫通孔に嵌入する環状突起部を有し、前記スリーブの縮径に伴い、前記環状突起部をその末端面が前記露出面と略面一状となるように膨張変形させることを特徴とする請求項１記載の管継手。
【請求項３】
前記管体は、その内部に補強線材からなる補強層を軸方向へ埋設していることを特徴とする請求項１又は２記載の管継手。
【手続補正２】
【補正対象書類名】明細書
【補正対象項目名】０００６
【補正方法】変更
【補正の内容】
【０００６】
このような目的を達成するために本発明は、可撓性を有する管体の内周面に沿って挿入するように設けられるニップルと、前記ニップルの外側に前記管体を挟んで覆うように設けられて該管体を縮径方向へ加圧するスリーブと、前記ニップル及び前記スリーブの間に前記管体の先端面と軸方向へ隣り合うように設けられる弾性変形可能なシール材と、前記ニップル及び前記スリーブの間に前記シール材と軸方向へ隣り合うように形成される環状空間部と、を備え、前記シール材は、前記管体の先端面と軸方向へ対向する第一シール面と、前記環状空間部と軸方向へ対向する第二シール部を有し、前記スリーブの縮径に伴い軸方向へ膨張変形して、前記第一シール面を前記管体の前記先端面と密接させるとともに、前記第二シール部を前記環状空間部内に嵌入して、前記ニップルと前記スリーブにそれぞれ密接させ、前記スリーブの前記内周面には、前記スリーブの縮径に伴い前記シール材を軸方向へ移動不能に係止するための位置決め手段が設けられることを特徴とする。
【手続補正３】
【補正対象書類名】明細書
【補正対象項目名】００２０
【補正方法】変更
【補正の内容】
【００２０】
この実施例１は、図１及び図２に示すように、スリーブ２が、駆動式カシメ機（図示せず）や手動油圧式カシメ機（図示せず）によって圧縮変形する例えばアルミニウムなどの剛性材料で成形されたカシメパイプである。スリーブ２となるカシメパイプを駆動式カシメ機で押圧して縮径変形させることにより、管体Ｂの接続端部が、ニップル１の外周面１ａの抜け止め手段１ｂと、スリーブ２の内周面２ａの抜け止め手段２ｂにそれぞれ食い込んで軸方向へ位置ズレ不能に接続される。
【手続補正４】
【補正対象書類名】明細書
【補正対象項目名】００２６
【補正方法】変更
【補正の内容】
【００２６】
つまり、シール材３として、管体Ｂの肉厚寸法と略同じに形成された断面コの字形のキャップを用いている。
シール材３となるキャップは、図３に二点鎖線で示されるように、スリーブ２に対するシール材３の組み付け状態で、管体Ｂの先端面Ｂ２を覆うように装着されている。
【手続補正５】
【補正対象書類名】明細書
【補正対象項目名】００３３
【補正方法】変更
【補正の内容】
【００３３】
このような本発明の実施例３に係る管継手Ａによると、スリーブ２の縮径変形に伴い、環状空間部４の貫通孔４ａに嵌入した第二シール部３ｂの環状突起部３ｃを、その末端面３ｄがニップル１及びスリーブ２の露出面５と略面一状となるように膨張変形させることにより、露出面５と環状突起部３ｃの末端面３ｄに亘って凹みや段差などができない。
したがって、滓などの溜まりによる汚染（コンタミネーション）を防止することができる。
その結果、長期に亘り衛生的に維持することができるという利点がある。
【手続補正６】
【補正対象書類名】明細書
【補正対象項目名】００３５
【補正方法】変更
【補正の内容】
【００３５】
なお、前示実施例では、スリーブ２がカシメパイプであってカシメ機で押圧して縮径変形させる場合を示したが、これに限定されず、円筒状で管体Ｂの径方向へ縮径可能なホルダー、円筒体を径方向へ複数に分割したホルダー、工具の回転操作などによって帯状体を徐々に緊締する締付具（ホースバンド）などを用いても良い。
この場合にも前示実施例と同様な作用効果が得られる。
【手続補正書】
【提出日】平成27年6月12日(2015.6.12)
【手続補正１】
【補正対象書類名】明細書
【補正対象項目名】００７８
【補正方法】変更
【補正の内容】
【００７８】
ここで、反転スイング装置３１ｂによりシートＳ１が印刷胴３３へ再度受け渡されるタイミングは、サッカー装置２３が間欠供給バルブ２７によりシートＳ１を１枚おきに間欠給紙しているため、給紙側渡し胴３２から搬送される新規なシートＳ１を保持しない印刷胴３３の印刷胴くわえ爪装置３３ａ、３３ｂ、３３ｃと対向するタイミングであり、これにより給紙側渡し胴３２から搬送される新規なシートＳ１と裏面印刷のために反転スイング装置３１ｂから搬送される表裏反転状態のシートＳ１とが干渉してしまうことがない。
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
炭素数１４〜２２の脂肪酸と分岐鎖を有する多官能アルコールとのエステルであり、ＨＬＢが２〜９である非イオン性界面活性剤、及び、水とを有し、油分を含有せず、粘度が２０℃で１〜３００ｍＰａ・ｓである水性原液と、
圧縮二酸化炭素と、を含有することを特徴とする発泡性エアゾール組成物。
【請求項２】
吐出により形成された泡の密度が０．１０〜０．２８ｇ／ｃｍ３であることを特徴とする請求項１に記載の発泡性エアゾール組成物。
【請求項３】
２５℃で前記非イオン性界面活性剤の一部が析出していることを特徴とする請求項１又は請求項２に記載の発泡性エアゾール組成物。
【請求項４】
前記非イオン性界面活性剤に用いられる分岐鎖を有する多官能アルコールが、ソルビタンであることを特徴とする請求項１から請求項３のいずれかに記載の発泡性エアゾール組成物。
【請求項５】
前記水性原液中に０．１〜２０質量％のアルコール類が含有されていることを特徴とする請求項１から請求項４のいずれかに記載の発泡性エアゾール組成物。
【手続補正２】
【補正対象書類名】明細書
【補正対象項目名】００１１
【補正方法】変更
【補正の内容】
【００１１】
（１）すなわち、本発明の発泡性エアゾール組成物は、炭素数１４〜２２の脂肪酸と分岐鎖を有する多官能アルコールとのエステルであり、ＨＬＢが２〜９である非イオン性界面活性剤、油分を含有せず、及び、水とを有し、粘度が２０℃で１〜３００ｍＰａ・ｓである水性原液と、圧縮二酸化炭素と、を含有することを特徴とする発泡性エアゾール組成物である。
【手続補正３】
【補正対象書類名】明細書
【補正対象項目名】００１４
【補正方法】変更
【補正の内容】
【００１４】
（４）そして、前記非イオン性界面活性剤に用いられる分岐鎖を有する多官能アルコールが、ソルビタンであることを特徴とする前記（１）から（３）のいずれかに記載の発泡性エアゾール組成物である。
（５）そして、前記水性原液中に０．１〜２０質量％のアルコール類が含有されていることを特徴とする前記（１）から（４）のいずれかに記載の発泡性エアゾール組成物である。
【手続補正書】
【提出日】平成27年2月27日(2015.2.27)
【手続補正１】
【補正対象書類名】特許請求の範囲
【補正対象項目名】請求項１
【補正方法】変更
【補正の内容】
【請求項１】
特別図柄を変動させて行う図柄変動ゲームを行う特別図柄表示手段と、前記図柄変動ゲームが当りとなるか否かを判定する当り判定手段と、を備え、前記図柄変動ゲームにおいて予め定めた当り表示結果が表示されたことを条件として、遊技者に有利となる当り遊技が生起される遊技機において、
遊技球が入球可能な入球口が開放状態と閉鎖状態を取り得るように動作する開閉手段を有し、遊技球の入球によって前記図柄変動ゲームの始動条件を付与し得る可変始動手段と、
前記当り判定手段の判定結果が肯定である場合に当りの種類を決定する当り種類決定手段と、
普通始動条件の成立により、普通図柄を変動させて表示する普通図柄変動ゲームが普通当りとなるか否かを判定する普通当り判定手段と、
前記普通図柄変動ゲームにおいて予め定めた普通当り表示結果が表示された場合に普通入球口が開放状態と閉鎖状態を取り得るように動作する普通開閉手段を有する普通入球手段と、
前記普通入球口から入球した遊技球が通過することで前記開閉手段が開放状態を取り得る作動契機領域と、
前記図柄変動ゲームにおいて当り表示結果が表示されたことを条件として特殊入球口が開放状態と閉鎖状態を取り得るように動作する特殊開閉手段を有する特殊入球手段と、
前記特殊入球口から入球した遊技球が通過することで当り遊技が生起され得る特殊通過領域と、
前記当り種類決定手段によって決定された当りの種類に基づいて、前記特殊通過領域を遊技球が通過し易い第１特殊状態と、前記特殊通過領域を遊技球が通過し難い第２特殊状態とを取り得るように前記特殊入球手段を動作させる制御を行う特殊開閉制御手段と、を備えた遊技機。
【手続補正２】
【補正対象書類名】特許請求の範囲
【補正対象項目名】請求項２
【補正方法】変更
【補正の内容】
【請求項２】
前記特別図柄は、第１特別図柄と第２特別図柄とを含み、
前記図柄変動ゲームとして、前記第１特別図柄を変動させて行う第１図柄変動ゲームと、前記第２特別図柄を変動させて行う第２図柄変動ゲームとが行われ、
前記可変始動手段は、遊技球が入球可能な第１入球口が開放状態と閉鎖状態を取り得るように動作する第１開閉手段を有し、遊技球の入球によって前記第１図柄変動ゲームの始動条件を付与し得る第１可変始動手段と、遊技球が入球可能な第２入球口が開放状態と閉鎖状態を取り得るように動作する第２開閉手段を有し、遊技球の入球によって前記第２図柄変動ゲームの始動条件を付与し得る第２可変始動手段と、を含み、
前記作動契機領域は、遊技球が通過することで前記第１開閉手段が開放状態を取り得るように動作される第１作動契機領域と、遊技球が通過することで前記第２開閉手段が開放状態を取り得るように動作される第２作動契機領域と、を含む請求項１に記載の遊技機。
【手続補正３】
【補正対象書類名】明細書
【補正対象項目名】０００７
【補正方法】変更
【補正の内容】
【０００７】
上記問題点を解決する遊技機は、特別図柄を変動させて行う図柄変動ゲームを行う特別図柄表示手段と、前記図柄変動ゲームが当りとなるか否かを判定する当り判定手段と、を備え、前記図柄変動ゲームにおいて予め定めた当り表示結果が表示されたことを条件として、遊技者に有利となる当り遊技が生起される遊技機において、遊技球が入球可能な入球口が開放状態と閉鎖状態を取り得るように動作する開閉手段を有し、遊技球の入球によって前記図柄変動ゲームの始動条件を付与し得る可変始動手段と、前記当り判定手段の判定結果が肯定である場合に当りの種類を決定する当り種類決定手段と、普通始動条件の成立により、普通図柄を変動させて表示する普通図柄変動ゲームが普通当りとなるか否かを判定する普通当り判定手段と、前記普通図柄変動ゲームにおいて予め定めた普通当り表示結果が表示された場合に普通入球口が開放状態と閉鎖状態を取り得るように動作する普通開閉手段を有する普通入球手段と、前記普通入球口から入球した遊技球が通過することで前記開閉手段が開放状態を取り得る作動契機領域と、前記図柄変動ゲームにおいて当り表示結果が表示されたことを条件として特殊入球口が開放状態と閉鎖状態を取り得るように動作する特殊開閉手段を有する特殊入球手段と、前記特殊入球口から入球した遊技球が通過することで当り遊技が生起され得る特殊通過領域と、前記当り種類決定手段によって決定された当りの種類に基づいて、前記特殊通過領域を遊技球が通過し易い第１特殊状態と、前記特殊通過領域を遊技球が通過し難い第２特殊状態とを取り得るように前記特殊入球手段を動作させる制御を行う特殊開閉制御手段と、を備えたことを要旨とする。
【手続補正４】
【補正対象書類名】明細書
【補正対象項目名】０００８
【補正方法】変更
【補正の内容】
【０００８】
上記遊技機について、前記特別図柄は、第１特別図柄と第２特別図柄とを含み、前記図柄変動ゲームとして、前記第１特別図柄を変動させて行う第１図柄変動ゲームと、前記第２特別図柄を変動させて行う第２図柄変動ゲームとが行われ、前記可変始動手段は、遊技球が入球可能な第１入球口が開放状態と閉鎖状態を取り得るように動作する第１開閉手段を有し、遊技球の入球によって前記第１図柄変動ゲームの始動条件を付与し得る第１可変始動手段と、遊技球が入球可能な第２入球口が開放状態と閉鎖状態を取り得るように動作する第２開閉手段を有し、遊技球の入球によって前記第２図柄変動ゲームの始動条件を付与し得る第２可変始動手段と、を含み、前記作動契機領域は、遊技球が通過することで前記第１開閉手段が開放状態を取り得るように動作される第１作動契機領域と、遊技球が通過することで前記第２開閉手段が開放状態を取り得るように動作される第２作動契機領域と、を含む構成としてもよい。
【手続補正５】
【補正対象書類名】明細書
【補正対象項目名】０２３６
【補正方法】変更
【補正の内容】
【０２３６】
・上記実施形態において、遊技球の通過や入賞を検知するセンサとしては、フォトセンサを用いても、磁界センサであってもよく、これら以外であってもよい。
【手続補正書】
【提出日】平成27年2月13日(2015.2.13)
【手続補正１】
【補正対象書類名】特許請求の範囲
【補正対象項目名】請求項１
【補正方法】変更
【補正の内容】
【請求項１】
特別図柄を変動させて行う図柄変動ゲームを行う表示手段と、前記図柄変動ゲームが当りとなるか否かを判定する当り判定手段と、を備え、前記図柄変動ゲームにおいて予め定めた当り表示結果が表示されたことを条件として、遊技者に有利となる当り遊技が生起される遊技機において、
普通始動条件の成立により、普通図柄を変動させて表示する普通図柄変動ゲームが普通当りとなるか否かを判定する普通当り判定手段と、
遊技球の入球によって前記図柄変動ゲームの始動条件が得られる入球口と、
前記普通図柄変動ゲームにおいて予め定めた普通当り表示結果が表示された場合に前記入球口が開放状態と閉鎖状態を取り得るように動作する開閉手段と、
前記当り判定手段の判定結果が肯定である場合に当りの種類を決定する当り種類決定手段と、
遊技球が入球可能な特殊入球口と、
前記図柄変動ゲームにおいて当り表示結果が表示されたことを条件として前記特殊入球口が開放状態と閉鎖状態を取り得るように動作する特殊開閉手段と、
前記特殊入球口から入球した遊技球が通過することによって当り遊技を生起させることができる特殊通過領域と、
前記当り種類決定手段によって決定された当りの種類に基づいて、前記特殊通過領域を遊技球が通過し易い第１特殊状態、又は前記第１特殊状態よりも前記特殊通過領域を遊技球が通過し難い第２特殊状態を取り得るように前記特殊開閉手段を動作させる制御を行う特殊開閉制御手段と、を備えた遊技機。
【手続補正２】
【補正対象書類名】特許請求の範囲
【補正対象項目名】請求項２
【補正方法】変更
【補正の内容】
【請求項２】
前記特殊入球口から入球した遊技球が前記特殊通過領域を通過可能であるか否かを振り分ける特殊振分手段を有し、
前記特殊開閉制御手段は、前記図柄変動ゲームにおいて予め定めた当り表示結果が表示された場合、前記第１特殊状態であるか前記第２特殊状態であるかに拘わらず、１種類の振分パターンに従って前記特殊振分手段を作動させるとともに、前記第１特殊状態であるときには、前記特殊振分手段により前記特殊通過領域を遊技球が通過可能な第２特殊期間に前記特殊開閉手段を開放状態に制御する一方で、前記第２特殊状態であるときには、前記特殊振分手段により前記特殊通過領域を遊技球が通過困難な第１特殊期間に前記特殊開閉手段を開放状態に制御する請求項１に記載の遊技機。
【手続補正３】
【補正対象書類名】明細書
【補正対象項目名】０００７
【補正方法】変更
【補正の内容】
【０００７】
上記問題点を解決する遊技機は、特別図柄を変動させて行う図柄変動ゲームを行う表示手段と、前記図柄変動ゲームが当りとなるか否かを判定する当り判定手段と、を備え、前記図柄変動ゲームにおいて予め定めた当り表示結果が表示されたことを条件として、遊技者に有利となる当り遊技が生起される遊技機において、普通始動条件の成立により、普通図柄を変動させて表示する普通図柄変動ゲームが普通当りとなるか否かを判定する普通当り判定手段と、遊技球の入球によって前記図柄変動ゲームの始動条件が得られる入球口と、前記普通図柄変動ゲームにおいて予め定めた普通当り表示結果が表示された場合に前記入球口が開放状態と閉鎖状態を取り得るように動作する開閉手段と、前記当り判定手段の判定結果が肯定である場合に当りの種類を決定する当り種類決定手段と、遊技球が入球可能な特殊入球口と、前記図柄変動ゲームにおいて当り表示結果が表示されたことを条件として前記特殊入球口が開放状態と閉鎖状態を取り得るように動作する特殊開閉手段と、前記特殊入球口から入球した遊技球が通過することによって当り遊技を生起させることができる特殊通過領域と、前記当り種類決定手段によって決定された当りの種類に基づいて、前記特殊通過領域を遊技球が通過し易い第１特殊状態、又は前記第１特殊状態よりも前記特殊通過領域を遊技球が通過し難い第２特殊状態を取り得るように前記特殊開閉手段を動作させる制御を行う特殊開閉制御手段と、を備えたことを要旨とする。
【手続補正４】
【補正対象書類名】明細書
【補正対象項目名】０００８
【補正方法】変更
【補正の内容】
【０００８】
上記遊技機について、前記特殊入球口から入球した遊技球が前記特殊通過領域を通過可能であるか否かを振り分ける特殊振分手段を有し、前記特殊開閉制御手段は、前記図柄変動ゲームにおいて予め定めた当り表示結果が表示された場合、前記第１特殊状態であるか前記第２特殊状態であるかに拘わらず、１種類の振分パターンに従って前記特殊振分手段を作動させるとともに、前記第１特殊状態であるときには、前記特殊振分手段により前記特殊通過領域を遊技球が通過可能な第２特殊期間に前記特殊開閉手段を開放状態に制御する一方で、前記第２特殊状態であるときには、前記特殊振分手段により前記特殊通過領域を遊技球が通過困難な第１特殊期間に前記特殊開閉手段を開放状態に制御する構成としてもよい。
【手続補正５】
【補正対象書類名】明細書
【補正対象項目名】０１５６
【補正方法】削除
【補正の内容】
【手続補正書】
【提出日】平成27年10月26日(2015.10.26)
【手続補正１】
【補正対象書類名】明細書
【補正対象項目名】００２７
【補正方法】変更
【補正の内容】
【００２７】
この一実施形態の生体情報測定装置では、上記第１センサは上記本体から取り外し可能に設けられている。そして、上記第１判断部によって上記第１の灌流指標が上記第１の閾値未満であると判断されたとき、上記制御部は、上記第２センサを用いるべき旨に代えて、上記第１センサを含む部分を上記本体から取り外して用いるべき旨を報知する制御を行う。したがって、ユーザは、その報知によって、上記本体から上記第１センサを含む部分を取り外して用いることを促される。上記第１センサを含む部分は上記本体全体に比して軽量であるから、被測定部位を圧迫する程度が少なく、灌流をあまり阻害しない。したがって、上記本体から取り外された上記第１センサを含む部分を用いて測定を行えば、上記本体に上記第１センサが取り付けられたまま測定する場合に比して、より正確な測定が可能となる。
【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
遊技の演出を行う複数の演出装置と、
前記演出装置を制御する演出制御手段と、
を備える遊技機において、
前記複数の演出装置を複数グループに分割し、該分割されたグループに属する演出装置を制御するためのグループ単位制御手段を各グループに設け、
前記演出制御手段を、複数の前記グループ単位制御手段を統括的に制御するグループ統括制御手段として構成し、
前記グループ統括制御手段と前記各グループ単位制御手段とを接続するとともに、前記グループ統括制御手段と前記各グループ単位制御手段との間でデータ通信を可能とする接続手段を設け、
前記複数のグループには、可動物を含む演出装置で構成される可動グループが含まれ、
前記グループ単位制御手段は、
前記グループ統括制御手段から出力される制御データの入力に対応して、前記可動グループを制御するための制御信号を出力し、
前記接続手段は、
前記制御信号の出力を許容する許容信号を伝達する許容信号接続手段を含み、
前記許容信号接続手段は、
前記グループ単位制御手段の起動時に、前記グループ単位制御手段に入力される許容信号を固定する起動時信号固定手段を備えることを特徴とする遊技機。
【請求項２】
前記グループ統括制御手段は、
前記許容信号として、前記制御信号の出力を許容するアクティブ信号と、前記制御信号の出力を許容しない非アクティブ信号を制御内容に応じて出力可能とし、
前記許容信号接続手段は、
前記グループ統括制御手段により出力される許容信号を、前記グループ単位制御手段の起動時に非アクティブ信号に固定する信号反転手段を備えることを特徴とする請求項１に記載の遊技機。
【手続補正２】
【補正対象書類名】明細書
【補正対象項目名】０００１
【補正方法】変更
【補正の内容】
【０００１】
本発明は、可動物を含む演出装置を備えた遊技機に関する。
【手続補正３】
【補正対象書類名】明細書
【補正対象項目名】０００３
【補正方法】変更
【補正の内容】
【０００３】
このような変動表示ゲームを行う遊技機では、遊技者の興趣を向上させるために変動表示ゲームの進行に応じて、画像表示と、音声出力を同期させたり、更にはＬＥＤ等による発光も同期させ、更には演出用に役物を設けている。これらによって、様々な演出効果が発揮される。
【手続補正４】
【補正対象書類名】明細書
【補正対象項目名】０００４
【補正方法】変更
【補正の内容】
【０００４】
例えば、引用文献１のようにキャラクタ体の演出用役物を用いて演出動作を行っている。
【手続補正５】
【補正対象書類名】明細書
【補正対象項目名】０００６
【補正方法】変更
【補正の内容】
【０００６】
しかしながら従来の遊技機では、演出用役物が予期せぬタイミングで誤動作をしてしまう虞があった。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
本願は、演出用役物が予期せぬタイミングで誤動作してしまうことを防止することを目的としている。
【手続補正９】
【補正対象書類名】明細書
【補正対象項目名】００１０
【補正方法】変更
【補正の内容】
【００１０】
本発明の代表的な一形態では、遊技の演出を行う複数の演出装置と、前記演出装置を制御する演出制御手段と、を備える遊技機において、前記複数の演出装置を複数グループに分割し、該分割されたグループに属する演出装置を制御するためのグループ単位制御手段を各グループに設け、前記演出制御手段を、複数の前記グループ単位制御手段を統括的に制御するグループ統括制御手段として構成し、前記グループ統括制御手段と前記各グループ単位制御手段とを接続するとともに、前記グループ統括制御手段と前記各グループ単位制御手段との間でデータ通信を可能とする接続手段を設け、前記複数のグループには、可動物を含む演出装置で構成される可動グループが含まれ、前記グループ単位制御手段は、前記グループ統括制御手段から出力される制御データの入力に対応して、前記可動グループを制御するための制御信号を出力し、前記接続手段は、前記制御信号の出力を許容する許容信号を伝達する許容信号接続手段を含み、前記許容信号接続手段は、前記グループ単位制御手段の起動時に、前記グループ単位制御手段に入力される許容信号を固定する起動時信号固定手段を備える。
【手続補正１０】
【補正対象書類名】明細書
【補正対象項目名】００１６
【補正方法】変更
【補正の内容】
【００１６】
本発明の一形態によれば、演出用役物が予期せぬタイミングで誤動作をしてしまうことを防止することができる。
【手続補正書】
【提出日】平成26年12月25日(2014.12.25)
【手続補正１】
【補正対象書類名】特許請求の範囲
【補正対象項目名】請求項１
【補正方法】変更
【補正の内容】
【請求項１】
遊技盤の遊技領域へ遊技球を発射させる発射装置と、
前記発射装置による遊技球の発射を調節可能とするとともに、遊技者が操作可能な発射操作手段と、
抽選契機手段への遊技球の入球を検知する入球検知手段と、
前記入球検知手段による遊技球の検知を契機に、電動手段を有する電動開閉手段の開閉状態を閉鎖状態から開放状態へと変遷させるか否かの開放抽選を行う開放抽選手段と、
前記開放抽選の抽選結果に応じて前記電動手段を制御することで前記電動開閉手段の開閉状態を制御する動作制御手段と、
前記電動開閉手段が開放状態である場合に遊技球が入球可能となるとともに、遊技球の入球によって第１の非電動開閉手段、及び第２の非電動開閉手段を開放状態へと変位可能に構成された作動契機手段と、
前記第１の非電動開閉手段への遊技球の入球を契機として、第１の変動ゲームが当りであるか否かを判定する第１の当り抽選を行う第１の当り抽選手段と、
前記第１の当り抽選の抽選結果に基づく第１の変動ゲームを第１のゲーム実行手段に実行させる第１のゲーム制御手段と、
前記第２の非電動開閉手段への遊技球の入球を契機として、第２の変動ゲームが当りであるか否かを判定する第２の当り抽選を行う第２の当り抽選手段と、
前記第２の当り抽選の抽選結果に基づく第２の変動ゲームを第２のゲーム実行手段に実行させる第２のゲーム制御手段と、
前記第１の当り抽選に当選した場合に生起させる当り遊技状態の種類を決定する第１の当り種決定手段と、
前記第２の当り抽選に当選した場合に生起させる当り遊技状態の種類を決定する第２の当り種決定手段と、
前記第１の当り抽選の当選対象となる第１の変動ゲームの終了後には前記第１の当り種決定手段が決定した種類に応じた開閉態様で特別入賞手段の開閉を制御して当り遊技状態を生起させる一方、前記第２の当り抽選の対象となる第２の変動ゲームの終了後には前記第２の当り種決定手段が決定した種類に応じた開閉態様で特別入賞手段の開閉を制御して当り遊技状態を生起させる当り生起手段と、
前記特別入賞手段の内部に設けられた特典契機手段と、
前記特典契機手段への遊技球の入球を契機として遊技者にとって有利な特典の付与を行う特典付与手段と、を備え、
前記第１の非電動開閉手段と前記第２の非電動開閉手段は、前記遊技領域において、前記発射操作手段の操作態様により前記第１の非電動開閉手段と前記第２の非電動開閉手段のうち何れの非電動開閉手段へ入球させるために遊技球を発射させるかを遊技者が選択可能に配置されており、
前記当り遊技状態にて前記特典契機手段へ遊技球が入球する確率は、当り遊技状態の種類に応じて異なっており、
前記第１の非電動開閉手段への遊技球の入球を契機として遊技者が獲得を期待することのできる第１の利益と、前記第２の非電動開閉手段への遊技球の入球を契機として遊技者が獲得を期待することのできる第２の利益と、をそれぞれ設定可能に構成されたことを特徴とする遊技機。
【手続補正２】
【補正対象書類名】明細書
【補正対象項目名】０００６
【補正方法】変更
【補正の内容】
【０００６】
上記課題を解決する遊技機は、遊技盤の遊技領域へ遊技球を発射させる発射装置と、前記発射装置による遊技球の発射を調節可能とするとともに、遊技者が操作可能な発射操作手段と、抽選契機手段への遊技球の入球を検知する入球検知手段と、前記入球検知手段による遊技球の検知を契機に、電動手段を有する電動開閉手段の開閉状態を閉鎖状態から開放状態へと変遷させるか否かの開放抽選を行う開放抽選手段と、前記開放抽選の抽選結果に応じて前記電動手段を制御することで前記電動開閉手段の開閉状態を制御する動作制御手段と、前記電動開閉手段が開放状態である場合に遊技球が入球可能となるとともに、遊技球の入球によって第１の非電動開閉手段、及び第２の非電動開閉手段を開放状態へと変位可能に構成された作動契機手段と、前記第１の非電動開閉手段への遊技球の入球を契機として、第１の変動ゲームが当りであるか否かを判定する第１の当り抽選を行う第１の当り抽選手段と、前記第１の当り抽選の抽選結果に基づく第１の変動ゲームを第１のゲーム実行手段に実行させる第１のゲーム制御手段と、前記第２の非電動開閉手段への遊技球の入球を契機として、第２の変動ゲームが当りであるか否かを判定する第２の当り抽選を行う第２の当り抽選手段と、前記第２の当り抽選の抽選結果に基づく第２の変動ゲームを第２のゲーム実行手段に実行させる第２のゲーム制御手段と、前記第１の当り抽選に当選した場合に生起させる当り遊技状態の種類を決定する第１の当り種決定手段と、前記第２の当り抽選に当選した場合に生起させる当り遊技状態の種類を決定する第２の当り種決定手段と、前記第１の当り抽選の当選対象となる第１の変動ゲームの終了後には前記第１の当り種決定手段が決定した種類に応じた開閉態様で特別入賞手段の開閉を制御して当り遊技状態を生起させる一方、前記第２の当り抽選の対象となる第２の変動ゲームの終了後には前記第２の当り種決定手段が決定した種類に応じた開閉態様で特別入賞手段の開閉を制御して当り遊技状態を生起させる当り生起手段と、前記特別入賞手段の内部に設けられた特典契機手段と、前記特典契機手段への遊技球の入球を契機として遊技者にとって有利な特典の付与を行う特典付与手段と、を備え、前記第１の非電動開閉手段と前記第２の非電動開閉手段は、前記遊技領域において、前記発射操作手段の操作態様により前記第１の非電動開閉手段と前記第２の非電動開閉手段のうち何れの非電動開閉手段へ入球させるために遊技球を発射させるかを遊技者が選択可能に配置されており、前記当り遊技状態にて前記特典契機手段へ遊技球が入球する確率は、当り遊技状態の種類に応じて異なっており、前記第１の非電動開閉手段への遊技球の入球を契機として遊技者が獲得を期待することのできる第１の利益と、前記第２の非電動開閉手段への遊技球の入球を契機として遊技者が獲得を期待することのできる第２の利益と、をそれぞれ設定可能に構成されたことを特徴とする。
【手続補正書】
【提出日】平成27年2月13日(2015.2.13)
【手続補正１】
【補正対象書類名】特許請求の範囲
【補正対象項目名】請求項１
【補正方法】変更
【補正の内容】
【請求項１】
抽選契機手段への遊技球の入球を検知する入球検知手段と、
前記入球検知手段による遊技球の検知を契機に、電動手段を有する電動開閉手段の状態を決定する状態決定手段と、
前記状態決定手段の決定内容にしたがって、前記電動手段を制御することで前記電動開閉手段の状態を制御する動作制御手段と、
前記電動開閉手段への遊技球の入球により、遊技球の入球が可能となる作動契機手段と、
前記作動契機手段へ入球した遊技球によって機械的に動作する非電動開閉手段と、
前記非電動開閉手段への遊技球の入球を契機として、変動ゲームが当りとなるか否かの当り抽選を行う当り抽選手段と、
前記当り抽選手段の抽選結果に基づく前記変動ゲームをゲーム実行手段に実行させるゲーム制御手段と、
前記当り抽選の当選対象となる前記変動ゲームの終了後、遊技者にとって有利な有利状態を生起させる有利状態生起手段と、を備え、
前記非電動開閉手段は、開放してから予め決められた規定個数の遊技球の入球に連動して閉鎖し、
前記動作制御手段は、前記電動開閉手段の開放状態と閉鎖状態を所定の反復回数だけ繰り返す態様で前記電動開閉手段の状態を制御し得ることを特徴とする遊技機。
【手続補正２】
【補正対象書類名】明細書
【補正対象項目名】０００６
【補正方法】変更
【補正の内容】
【０００６】
上記課題を解決する遊技機は、抽選契機手段への遊技球の入球を検知する入球検知手段と、前記入球検知手段による遊技球の検知を契機に、電動手段を有する電動開閉手段の状態を決定する状態決定手段と、前記状態決定手段の決定内容にしたがって、前記電動手段を制御することで前記電動開閉手段の状態を制御する動作制御手段と、前記電動開閉手段への遊技球の入球により、遊技球の入球が可能となる作動契機手段と、前記作動契機手段へ入球した遊技球によって機械的に動作する非電動開閉手段と、前記非電動開閉手段への遊技球の入球を契機として、変動ゲームが当りとなるか否かの当り抽選を行う当り抽選手段と、前記当り抽選手段の抽選結果に基づく前記変動ゲームをゲーム実行手段に実行させるゲーム制御手段と、前記当り抽選の当選対象となる前記変動ゲームの終了後、遊技者にとって有利な有利状態を生起させる有利状態生起手段と、を備え、前記非電動開閉手段は、開放してから予め決められた規定個数の遊技球の入球に連動して閉鎖し、前記動作制御手段は、前記電動開閉手段の開放状態と閉鎖状態を所定の反復回数だけ繰り返す態様で前記電動開閉手段の状態を制御し得ることを特徴とする。
【手続補正書】
【提出日】平成27年9月24日(2015.9.24)
【手続補正１】
【補正対象書類名】明細書
【補正対象項目名】発明の名称
【補正方法】変更
【補正の内容】
【発明の名称】内視鏡
【手続補正２】
【補正対象書類名】明細書
【補正対象項目名】０００１
【補正方法】変更
【補正の内容】
【０００１】
本発明は、内視鏡に関し、特に、照明ファイバの安定駆動を行うことができる内視鏡に関する。
【手続補正３】
【補正対象書類名】明細書
【補正対象項目名】００１１
【補正方法】変更
【補正の内容】
【００１１】
本発明の一態様の内視鏡は、被検体内に挿通される細長な挿入部と、前記挿入部の基端側から先端側へ挿通され、前記被検体に照明光を照射する光学素子と、前記光学素子の自由端を揺動させる駆動部と、前記挿入部の長手方向と平行となる方向に前記光学素子を保持する細長の角柱形状の接合部材と、を有し、前記接合部材は、当該接合部材の基端面および先端面の中心に、前記光学素子の径に基づいた貫通孔を設けると共に、前記光学素子が当該貫通孔に挿通された状態において、当該接合部材の側面に前記駆動部を配置する。
【手続補正４】
【補正対象書類名】明細書
【補正対象項目名】００１２
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
被検体内に挿通される細長な挿入部と、
前記挿入部の基端側から先端側へ挿通され、前記被検体に照明光を照射する光学素子と、
前記光学素子の自由端を揺動させる駆動部と、
前記挿入部の長手方向と平行となる方向に前記光学素子を保持する細長の角柱形状の接合部材と、
を有し、
前記接合部材は、当該接合部材の基端面および先端面の中心に、前記光学素子の径に基づいた貫通孔を設けると共に、前記光学素子が当該貫通孔に挿通された状態において、当該接合部材の側面に前記駆動部を配置する
ことを特徴とする内視鏡。
【請求項２】
前記接合部材の側面数は、３以上であることを特徴とする請求項１に記載の内視鏡。
【請求項３】
前記光学素子は、接着剤により前記接合部材における前記貫通孔に固定されることを特徴とする請求項１または２に記載の内視鏡。
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
検査対象（６）の微分位相コントラストイメージングのために、少なくとも、疑似コヒーレントＸ線を発生するＸ線放射器（３）と、マトリックスに配置されたピクセル（２２，２３）を有するＸ線画像検出器（４）と、検査対象（６）とＸ線画像検出器（４）との間に配置された回折格子または位相格子（１７）とを備えるＸ線撮影システムにおいて、
Ｘ線画像検出器（４）がｘ個の総ピクセル（２２）からなるマトリックスを備える検出器層を有し、その検出器層は、総ピクセル（２２）が回折格子または位相格子（１７）の格子線に対して垂直な分析方向にｙ個のサブピクセル（２３）に区分された構造を持ち、
それらのサブピクセル（２３）は、読み出し過程において、
ａ）最初の位相ステップでは、ｎ個のサブピクセル（２５）が作用的にグループにまとめられ、それらのグループのなかでは１つの総ピクセル（２２）のｍ個のサブピクセル（２６）が検出されず、
ｂ）後続のＫ−１個の位相ステップでは、サブピクセル（２３）の必要な全ての組合せが検出されるまで、それぞれ再びｎ個のサブピクセル（２３）がグループにまとめられ、まとめられたサブピクセル（２５）がそれぞれｐ個のサブピクセル（２３）の１つのステップ幅だけ分析方向にずらされている
ようにグループごとに制御および読み出しのうち少なくとも一方が可能であることを特徴とするＸ線撮影システム。
【請求項２】
疑似コヒーレントＸ線を発生するＸ線放射器（３）が吸収格子（１３）を有することを特徴とする請求項１記載のＸ線撮影システム。
【請求項３】
疑似コヒーレントＸ線を発生するＸ線放射器（３）が複数の電界放射型Ｘ線源を有することを特徴とする請求項１記載のＸ線撮影システム。
【請求項４】
疑似コヒーレントＸ線を発生するＸ線放射器（３）が十分な出力強度の微小焦点Ｘ線源を有することを特徴とする請求項１記載のＸ線撮影システム。
【請求項５】
読み出し過程において、全てのサブピクセル（２３）が独立にただ１回だけ読み出され、それらのサブピクセル（２３）の出力信号が記憶され、サブピクセル（２３）の出力信号が複数の位相ステップにおいてグループごとにまとめられ、相前後する位相においてサブピクセル（２３）の出力信号の組合せがそれぞれｐ個のサブピクセル（２３）だけ分析方向にずらされていることを特徴とする請求項１乃至３の１つに記載のＸ線撮影システム。
【請求項６】
読み出し過程において１つの総ピクセル（２２）内の隣接するサブピクセル（２３）が組み合わされてこれらの信号が読み出され、相前後する位相においてサブピクセル（２３）の出力信号の組合せがそれぞれｐ個のサブピクセル（２３）だけ分析方向にずらされていることを特徴とする請求項１乃至４の１つに記載のＸ線撮影システム。
【請求項７】
読み出し過程において１つの総ピクセル（２２）おける１つの位相ステップのために活性化された全てのサブピクセルがまとめられて、当該位相ステップのために必要な当該総ピクセルの全てのサブピクセルの全信号が読み出されることを特徴とする請求項１乃至４の１つに記載のＸ線撮影システム。
【請求項８】
Ｘ線画像検出器（４）が、検出器材料としてのＣｓＩとフォトダイオード構造および読み出し構造のためのＣＭＯＳとによりＸ線量子の間接変換を行う積分型検出器であることを特徴とする請求項１乃至６の１つに記載のＸ線撮影システム。
【請求項９】
Ｘ線画像検出器（４）がＸ線量子の直接変換を行う光子計数型検出器として実現されていることを特徴とする請求項１乃至７の１つに記載のＸ線撮影システム。
【請求項１０】
Ｓ１）Ｘ線取得（３７）が実行されるステップ、
Ｓ２）総ピクセル（２２）とサブピクセル（２３）とからなる組合せピクセルの繰り返し定義（３８）が行われるステップ、
Ｓ３）Ｘ線画像検出器（４）の画像情報の非破壊読み出し（３９）が行われるステップ、
Ｓ４）総ピクセル（２２）とサブピクセル（２３）との必要な全ての組合せが達成されたか否かが第１の質問（４０）において確認されるステップ、
Ｓ５）否定の場合にステップＳ２）に戻り、総ピクセル（２２）とサブピクセル（２３）とからなる組合せピクセルの新たな繰り返し定義（３８）が行われるステップ、
Ｓ６）肯定の場合に画像処理（４１）が実行されるステップ、
Ｓ７）更に他の画像が必要であるか否かが第２の質問（４２）において決定されるステップ、
Ｓ８）肯定の場合にステップＳ１）に戻り、新たにＸ線取得（３７）が行われるステップ、
Ｓ９）否定の場合にプロセス終了（４３）を導入してデータ取得が終了するステップ
を含む請求項１乃至８の１つに記載のＸ線撮影システムによる患者のアンギオグラフィ検査方法。
【請求項１１】
Ｓ１）Ｘ線取得（３７）が実行されるステップ、
Ｓ２）総ピクセル（２２）とサブピクセル（２３）とからなる組合せピクセルの繰り返し定義（３８）が行われるステップ、
Ｓ３）Ｘ線画像検出器（４）の画像情報の破壊読み出し（４４）が行われるステップ、
Ｓ４）総ピクセル（２２）とサブピクセル（２３）との必要な全ての組合せが達成されたか否かが第１の質問（４０）において確認されるステップ、
Ｓ５）否定の場合にステップＳ１）に戻り、新たにＸ線取得（３７）が行われるステップ、
Ｓ６）肯定の場合に画像処理（４１）が実行されるステップ、
Ｓ７）更に他の画像が必要であるか否かが第２の質問（４２）において決定されるステップ、
Ｓ８）肯定の場合にステップＳ１）に戻り、新たにＸ線取得（３７）が行われるステップ、
Ｓ９）否定の場合にプロセス終了（４３）を導入してデータ取得が終了するステップ
を含む請求項１乃至９の１つに記載のＸ線撮影システムによる患者のアンギオグラフィ検査方法。
【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
導体芯、及び
該導体芯の外周を被覆しているシース、
を含む映像システム用ノイズ抑制ケーブルであって、該映像システム用ノイズ抑制ケーブルは、該シースの外周の少なくとも一部にノイズ抑制シートを有し、該ノイズ抑制シートは、基材として布帛又は微多孔フィルムを含み、そして該ノイズ抑制シートの少なくとも１つの面の表面抵抗率の常用対数値が、０〜４の範囲にある、前記映像システム用ノイズ抑制ケーブル。
【請求項２】
前記ノイズ抑制シートは、非磁性体である、請求項１に記載の映像システム用ノイズ抑制ケーブル。
【請求項３】
前記ノイズ抑制シートは、前記基材と金属及び／又は導電性ポリマーとから成る、請求項１又は２に記載の映像システム用ノイズ抑制ケーブル。
【請求項４】
前記ノイズ抑制シートの１ＧＨｚにおける反射減衰量（Ｓ１１）が、０．２以下である、請求項１〜３のいずれか１項に記載の映像システム用ノイズ抑制ケーブル。
【請求項５】
前記基材の厚みが、１０μｍ〜２００μｍである、請求項１〜４のいずれか１項に記載の映像システム用ノイズ抑制ケーブル。
【請求項６】
前記基材の平均開孔径は、０．５μｍ〜２００μｍである、請求項１〜５のいずれか１項に記載の映像システム用ノイズ抑制ケーブル。
【請求項７】
前記布帛は不織布である、請求項１〜６のいずれか１項に記載の映像システム用ノイズ抑制ケーブル。
【請求項８】
前記不織布は、０．０１μｍ〜７．０μｍの繊維径を有する繊維を含む、請求項７に記載の映像システム用ノイズ抑制ケーブル。
【請求項９】
前記不織布は、積層された２つの層を含み、一方の層は、１０μｍ〜５０μｍの繊維径を有する繊維から成り、そして他方の層は、０．０１μｍ〜７．０μｍの繊維径を有する繊維から成る、請求項７に記載の映像システム用ノイズ抑制ケーブル。
【請求項１０】
前記不織布は、以下の順序で積層された：
１０μｍ〜５０μｍの繊維径を有する繊維から成る第１層；
０．０１μｍ〜７．０μｍの繊維径を有する繊維から成る第２層；及び
１０μｍ〜５０μｍの繊維径を有する繊維から成る第３層；
を含む、請求項７に記載の映像システム用ノイズ抑制ケーブル。
【請求項１１】
前記基材は前記微多孔フィルムである、請求項１〜６のいずれか１項に記載の映像システム用ノイズ抑制ケーブル。
【手続補正書】
【提出日】平成27年8月28日(2015.8.28)
【手続補正１】
【補正対象書類名】特許請求の範囲
【補正対象項目名】請求項１
【補正方法】変更
【補正の内容】
【請求項１】
自動車に搭載される車載用制御装置であって、
電子部品が設けられた回路基板と、前記回路基板を収容する筐体と、を備え、
前記筐体は、
第１の方向に流れる空気流れを取り込む第１の開口部と、
前記第１の方向に垂直な第２の方向に流れる空気流れを取り込む第２の開口部と、
前記第１の開口部に対して前記第２の方向における上流側に設けられ、前記第２の方向に流れる空気流れに対して障壁となる第１の障壁部と、
前記第２の開口部に対して前記第１の方向における上流側に設けられ、前記第１の方向に流れる空気流れに対して障壁となる第２の障壁部と、
を備え、
前記第１の開口部と前記第２の開口部との間を連通する連通通路を設け、前記連通通路に前記回路基板が配置された筐体内部に連通する連通孔を設けた車載用制御装置。
【手続補正２】
【補正対象書類名】明細書
【補正対象項目名】０００７
【補正方法】変更
【補正の内容】
【０００７】
上記目的を達成するために、本発明の車載用制御装置は、自動車に搭載される車載用制御装置であって、
電子部品が設けられた回路基板と、前記回路基板を収容する筐体と、を備え、
前記筐体は、
第１の方向に流れる空気流れを取り込む第１の開口部と、
前記第１の方向に垂直な第２の方向に流れる空気流れを取り込む第２の開口部と、
前記第１の開口部に対して前記第２の方向における上流側に設けられ、前記第２の方向に流れる空気流れに対して障壁となる第１の障壁部と、
前記第２の開口部に対して前記第１の方向における上流側に設けられ、前記第１の方向に流れる空気流れに対して障壁となる第２の障壁部と、
を備え、
前記第１の開口部と前記第２の開口部との間を連通する連通通路を設け、前記連通通路に前記回路基板が配置された筐体内部に連通する連通孔を設けたものである。
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
半導体基板の主表面に形成されるメモリセルと周辺トランジスタとを含む半導体装置の製造方法であって、
前記半導体基板を準備する工程と、
前記メモリセルが形成されるメモリセル形成領域における前記主表面に、第１の絶縁膜と、前記第１の絶縁膜の上面に接する第１のダミー電極とが積層された第１の積層構造を形成する工程と、
前記メモリセル形成領域における前記主表面に、前記第１の積層構造の側面に接するとともに前記半導体基板の前記主表面上にまで延びる延長部を有するように形成された第２の絶縁膜と、前記第２の絶縁膜の前記延長部の上面を含めて前記第２の絶縁膜に接する第２のダミー電極とが積層された第２の積層構造を形成する工程と、
前記周辺トランジスタが形成される周辺トランジスタ形成領域における前記主表面に、第３の絶縁膜と、前記第３の絶縁膜の上面に接する第３のダミー電極とが積層された第３の積層構造を形成する工程と、
前記第１、第２および第３の積層構造を覆うように層間絶縁層を形成する工程と、
前記第１、第２および第３のダミー電極の上面が前記層間絶縁層から露出し、前記層間絶縁層の上面と、露出した前記第１、第２および第３のダミー電極の上面とが平坦になるように、前記層間絶縁層の一部と前記第１、第２および第３のダミー電極の上面とを研磨する工程と、
露出した前記第１、第２および第３のダミー電極を除去して第１の開口部、第２の開口部および第３の開口部のそれぞれを形成する工程と、
前記第１の開口部と前記第２の開口部と前記第３の開口部とのそれぞれに、金属含有膜および他の膜を含む金属含有積層膜を埋設することにより、第１の金属含有膜と、第２の金属含有膜と、第３の金属含有膜とを形成する工程とを備え、
前記第１および第２の積層構造の高さは前記第３の積層構造の高さよりも高くなるように形成される、半導体装置の製造方法。
【請求項２】
前記第２の絶縁膜には電荷を蓄積する電荷蓄積膜を含む、請求項１に記載の半導体装置の製造方法。
【請求項３】
前記電荷蓄積膜はシリコン窒化膜である、請求項２に記載の半導体装置の製造方法。
【請求項４】
前記第２の絶縁膜は、第１のシリコン酸化膜と、シリコン窒化膜と、第２のシリコン酸化膜とがこの順に積層された構成を有する、請求項１に記載の半導体装置の製造方法。
【請求項５】
前記シリコン窒化膜の端部は、前記第２の金属含有膜の端部よりも内側に配置される、請求項３または４に記載の半導体装置の製造方法。
【請求項６】
前記第１および第２の積層構造を形成する工程の後、前記メモリセル形成領域における前記主表面に前記メモリセルのソース領域およびドレイン領域を形成する工程と、
前記ソース領域および前記ドレイン領域にシリサイドを形成する工程とをさらに備える、請求項１に記載の半導体装置の製造方法。
【請求項７】
前記第３の積層構造を形成する工程の後、前記周辺トランジスタ形成領域における前記主表面に前記周辺トランジスタのソース領域およびドレイン領域を形成する工程と、
前記ソース領域および前記ドレイン領域にシリサイドを形成する工程とをさらに備える、請求項１に記載の半導体装置の製造方法。
【請求項８】
前記第１、第２および第３の金属含有膜を形成する工程は、前記層間絶縁層の上面と、前記第１、第２および第３の開口部とに前記金属含有積層膜を堆積する工程と、前記層間絶縁層が露出するように前記金属含有積層膜を研磨する工程とを含み、
前記金属含有積層膜を研磨する工程では、前記第１の金属含有膜の上面と、前記第２の金属含有膜の上面と、前記第３の金属含有膜の上面とが同一の高さの平坦な面を形成するように研磨される、請求項１に記載の半導体装置の製造方法。
【請求項９】
前記金属含有膜は窒化チタンの薄膜のみを含む、請求項１に記載の半導体装置の製造方法。
【請求項１０】
前記金属含有膜は、窒化チタンの薄膜と、多結晶シリコンの薄膜とがこの順に積層された構成を有する、請求項１に記載の半導体装置の製造方法。
【請求項１１】
前記第１の金属含有膜は前記第１の絶縁膜の上面に形成され、前記第１の金属含有膜は前記第１の絶縁膜より誘電率が高い誘電体膜と、前記誘電体膜の仕事関数を調整する調整膜と、前記金属含有膜とがこの順に積層された構造を有し、
前記第２の金属含有膜は前記第２の絶縁膜の上面に形成され、前記第２の金属含有膜は前記誘電体膜と、前記調整膜と、前記金属含有膜とがこの順に積層された構造を有し、
前記第３の金属含有膜は前記第３の絶縁膜の上面に形成され、前記第３の金属含有膜は前記誘電体膜と、前記調整膜と、前記金属含有膜とがこの順に積層された構造を有し、
前記他の膜は前記誘電体膜と前記調整膜とを含む、請求項１に記載の半導体装置の製造方法。
【請求項１２】
前記主表面には、前記メモリセルおよび前記周辺トランジスタが形成される素子形成領域と、前記素子形成領域の周囲に形成されるダイシング領域とを有し、
前記第１または第２の積層構造を形成する工程と同時に、前記ダイシング領域に、前記第１および第２の積層構造と同じ厚みを有する構造体が形成される工程をさらに備える、請求項１に記載の半導体装置の製造方法。
【誤訳訂正書】
【提出日】平成27年2月24日(2015.2.24)
【誤訳訂正１】
【訂正対象書類名】明細書
【訂正対象項目名】００３６
【訂正方法】変更
【訂正の内容】
【００３６】
また、サービス・プロバイダ・アプリケーション２０８は、モバイル・クライアント１０８がネットワークにアクセスすることを許可する前に、モバイル・クライアント１０８をサポートできるかどうかを決定することができる。バッテリー電力の消耗と、モバイル・クライアント１０８を受け入れることで発生する他の処理リソースの消耗と、を推定するリソース情報は、サービス・プロバイダ・アプリケーション２０８が新しいモバイル・クライアント１０８をサポートすること、または他のアドホック・サービス・プロバイダからそのモバイル・クライアント１０８のハンドオフを受け入れることを考慮するべきかどうかを決定するのを支援することができる。